(57)【要約】      （修正有）【課題】高い拡大率を有し、またマスターレンズに装着したときの諸収差が良好に補正され高い光学性能を有し、かつコンパクトで簡易な構成のフロント方式のテレコンバーターレンズ及びこれを用いた撮像装置を提供する。【解決手段】マスターレンズＭの物体側に装着するテレコンバーターレンズＴであって、物体側より光束が入射する順に、凹面反射面Ｒ１と凸面反射面Ｒ２を有し、前記凹面反射面Ｒ１および前記凸面反射面Ｒ２は非球面反射面であり、前記凹面反射面Ｒ１および前記凸面反射面Ｒ２の近軸曲率半径をそれぞれｒ１、ｒ２、前記凹面反射面Ｒ１と前記凸面反射面Ｒ２の光軸上の頂点間隔をＤｃ、としたとき、０．９０＜｜ｒ１−ｒ２｜／（２×Ｄｃ）＜１．１５なる条件式を満足する。【選択図】図１
2019095618.tif 000002
【特許請求の範囲】
【請求項１】
マスターレンズの物体側に装着するテレコンバーターレンズであって、
物体側より光束が入射する順に、凹面反射面と凸面反射面を有し、
前記凹面反射面および前記凸面反射面は非球面反射面であり、
前記凹面反射面および前記凸面反射面の近軸曲率半径をそれぞれｒ１、ｒ２、前記凹面反射面と前記凸面反射面の光軸上の頂点間隔をＤｃ、としたとき、
０．９０＜｜ｒ１−ｒ２｜／（２×Ｄｃ）＜１．１５
なる条件式を満足することを特徴とするテレコンバーターレンズ。
【請求項２】
前記凹面反射面の有効径をＥＡｒ１としたとき、
０．８０＜｜Ｄｃ×２／ＥＡｒ１｜＜４．００
なる条件式を満足することを特徴とする請求項１に記載のテレコンバーターレンズ。
【請求項３】
１．６０＜｜ｒ１／ｒ２｜＜１３．００
なる条件式を満足することを特徴とする請求項１または２に記載のテレコンバーターレンズ。
【請求項４】
０．３５＜｜Ｄｃ／ｒ２｜＜５．５０
なる条件式を満足することを特徴とする請求項１乃至３のいずれか１項に記載のテレコンバーターレンズ。
【請求項５】
前記凹面反射面の有効径位置での光軸方向の近軸曲率半径からの形状ずれ量をΔｒ１としたとき、
０．００００５＜｜Δｒ１×２／ＥＡｒ１｜＜０．００５５０
なる条件式を満足することを特徴とする請求項２に記載のテレコンバーターレンズ。
【請求項６】
前記凸面反射面の有効径をＥＡｒ２、前記凸面反射面の有効径位置での光軸方向の近軸曲率半径からの形状ずれ量をΔｒ２としたとき、
０．００００５＜｜Δｒ２×２／ＥＡｒ２｜＜０．００５５０
なる条件式を満足することを特徴とする請求項１乃至５のいずれか１項に記載のテレコンバーターレンズ。
【請求項７】
物体側より無限遠の物点から該テレコンバーターレンズに光束が入射した際、結像を介さずにマスターレンズに光束が導かれることを特徴とする請求項１乃至６のいずれか１項に記載のテレコンバーターレンズ。
【請求項８】
前記凹面反射面および前記凸面反射面の間の屈折レンズ要素が、２枚以下であることを特徴とする請求項１乃至７のいずれか１項に記載のテレコンバーターレンズ。
【請求項９】
前記マスターレンズと、前記マスターレンズの物体側に装着可能な請求項１乃至８のいずれか１項に記載のテレコンバーターレンズと、前記テレコンバーターレンズと前記マスターレンズによって形成された像を受光する固体撮像素子と、を有することを特徴とする撮像装置。
【発明の詳細な説明】
【技術分野】
【０００１】
本発明は、デジタルスチルカメラやビデオカメラ、放送用カメラなどに用いられる撮影レンズ（マスターレンズ）の物体側に着脱可能に装着して、全系の焦点距離をマスターレンズの本来の焦点距離に比べて長い方へ変化させるテレコンバーターレンズに関する。
【背景技術】
【０００２】
近年、デジタルカメラ、ビデオカメラにおいては小型化及びＣＣＤセンサ等の固体撮像素子の高画素化が進み、それらに用いる撮影レンズには小型で色収差が良好に補正された高い光学性能を有することが要求されている。
【０００３】
したがって、撮影レンズに装着するテレコンバーターレンズにおいても同様に小型で高い光学性能を有することが要求されている。
【０００４】
その一方で、テレコンバーターレンズの拡大率を高め、望遠端の焦点距離をより伸ばした撮影を行いたい、という要望も高まりつつある。
【０００５】
一般にマスターレンズ（撮影レンズ）の焦点距離を望遠側に変移させる（長い方に変移させる）方法として、マスターレンズの物体側にアフォーカルレンズを着脱可能に装着するフロント方式のテレコンバーターレンズが知られている。この方式はマスターレンズの望遠端でのＦナンバーを犠牲にすることなく（変化させずに）、焦点距離を変移させることが可能であるという利点がある。
【０００６】
このフロント方式のテレコンバーターレンズとして、物体側より像側へ順に正の屈折力の前群と、負の屈折力の後群より成るものが知られている（特許文献１）。また、カタディオプトリック対物レンズからなる第１レンズ系と正の屈折力を有する第２レンズ系、さらには回折光学面を有するカタディオプトリックアフォーカルコンバーターが知られている（特許文献２）。
【先行技術文献】
【特許文献】
【０００７】
【特許文献１】特開２０１３−１７８２９９号公報
【特許文献２】特開２００４−２５８２３８号公報
【発明の概要】
【発明が解決しようとする課題】
【０００８】
特許文献１では、３枚のレンズからなる前群と１枚の接合レンズからなる後群より構成され、後群の形状を適切に設定することにより、高い拡大率を有するテレコンバーターレンズが開示されている。しかしながら、このような屈折レンズのみによる構成ではマスターレンズに対しテレコンバーターレンズのサイズ及び重量が増大してしまう課題があった。
【０００９】
また特許文献２では、反射ミラー面を用いたカタディオプトリック対物レンズからなる第１レンズ系により中間像点を形成、その後方に正の屈折力を有する第２レンズ系を配し、さらには回折光学面を有する構成としている。これにより、高い拡大率を有するカタディオプトリックアフォーカルコンバーターを開示する。しかしながら、この方式では結像光学系を複数構成する必要があるため、光学系全体が複雑化し、かつ大型化してしまうという課題があった。
【００１０】
本発明の目的は、高い拡大率を有し、またマスターレンズに装着したしたときの諸収差が良好に補正され高い光学性能を有し、かつコンパクトで簡易な構成のフロント方式のテレコンバーターレンズ及びこれを用いた撮像装置を提供することである。
【課題を解決するための手段】
【００１１】
上記目的を達成するため、本発明に係るテレコンバーターレンズは、マスターレンズの物体側に装着するテレコンバーターレンズであって、物体側より光束が入射する順に、凹面反射面と凸面反射面を有し、前記凹面反射面および前記凸面反射面は非球面反射面であり、前記凹面反射面および前記凸面反射面の近軸曲率半径をそれぞれｒ１、ｒ２、前記凹面反射面と前記凸面反射面の光軸上の頂点間隔をＤｃ、としたとき、
０．９０＜｜ｒ１−ｒ２｜／（２×Ｄｃ）＜１．１５
なる条件式を満足することを特徴とする。
【発明の効果】
【００１２】
本発明によれば、高い拡大率を有し、またマスターレンズに装着したしたときの諸収差が良好に補正され高い光学性能を有し、かつコンパクトで簡易な構成のフロント方式のテレコンバーターレンズ及びこれを用いた撮像装置を得ることができる。
【図面の簡単な説明】
【００１３】
【図１】本発明の実施形態に係るテレコンバーターレンズとして数値実施例１のテレコンバーターレンズをマスターレンズの望遠端に装着した際のレンズ断面図
【図２】数値実施例１のテレコンバーターレンズをマスターレンズの望遠端に装着した際の全系での縦収差図
【図３】数値実施例２のテレコンバーターレンズのレンズ断面図
【図４】数値実施例２のテレコンバーターレンズをマスターレンズの望遠端に装着した際の全系での縦収差図
【図５】数値実施例３のテレコンバーターレンズのレンズ断面図
【図６】数値実施例３のテレコンバーターレンズをマスターレンズの望遠端に装着した際の全系での縦収差図
【図７】数値実施例４のテレコンバーターレンズのレンズ断面図
【図８】数値実施例４のテレコンバーターレンズをマスターレンズの望遠端に装着した際の全系での縦収差図
【図９】本発明の実施形態に係るテレコンバーターレンズを用いた撮像装置の要概略図
【発明を実施するための形態】
【００１４】
以下に、本発明の好ましい実施の形態を、添付の図面に基づいて詳細に説明する。
【００１５】
（第１の実施形態）
本発明の実施形態に係るテレコンバーターレンズは、
Ａ．  マスターレンズの物体側に装着するテレコンバーターレンズであって、
Ｂ．  物体側より光束が入射する順に、凹面反射面Ｒ１と凸面反射面Ｒ２を有し、  
Ｃ．  該Ｒ１および該Ｒ２は非球面反射面であり、
Ｄ．  該Ｒ１及び該Ｒ２の近軸曲率半径をそれぞれｒ１、ｒ２、前記Ｒ１とＲ２の光軸上の頂点間隔をＤｃ、としたときに以下の条件式を満足することを特徴としている。
０．９０  ＜  ｜ｒ１−ｒ２｜／（２×Ｄｃ）  ＜  １．１５       （１）
【００１６】
本実施形態のテレコンバーターレンズは、物体側から入射した光線の進行方向の順に、凹面反射面Ｒ１および凸面反射面Ｒ２を有している。本構成とすることにより、前述のような屈折レンズのみによる構成に対し、レンズ全長を短くすることができる。また、光線の反射作用においては、その特性上色収差が発生しないという利点もある。
【００１７】
また、本実施形態のテレコンバーターレンズは、前記Ｒ１およびＲ２を非球面反射面としている。これにより、Ｒ１においては特に球面収差の補正、Ｒ２においては特に像面湾曲の補正を効果的に行っている。
【００１８】
条件式（１）は、前記Ｄｃに対する前記ｒ１とｒ２の差分量の比を規定した式である。上限を超えると、マスターレンズにテレコンバーターレンズを装着した際の結像位置のずれが物体側からみて像側方向に大きくなり過ぎ、あるいは色の球面収差やフレア成分の補正が困難となるため好ましくない。また、下限を超えると、マスターレンズにテレコンバーターレンズを装着した際の結像位置のずれが像側からみて物体側方向に大きくなり過ぎ、あるいは色の球面収差やフレア成分の補正が困難となるため好ましくない。
【００１９】
なお、条件式（１）において構成上さらに好ましくは、数値範囲を次の如く設定するのが良い。
０．９２  ＜  ｜ｒ１−ｒ２｜／（２×Ｄｃ）  ＜  １．１３       （１ａ）
【００２０】
より更に好ましくは、条件式（１）の数値範囲を次の如く設定するのが良い。
０．９４  ＜  ｜ｒ１−ｒ２｜／（２×Ｄｃ）  ＜  １．１１       （１ｂ）
【００２１】
さらに、本実施形態のズームレンズは以下の条件式を満足することが好ましい。
０．８０  ＜  ｜Ｄｃ×２／ＥＡｒ１｜  ＜  ４．００             （２）
１．６０  ＜  ｜ｒ１／ｒ２｜  ＜  １３．００                   （３）
０．３５  ＜  ｜Ｄｃ／ｒ２｜  ＜  ５．５０                     （４）
０．００００５  ＜  ｜Δｒ１×２／ＥＡｒ１｜  ＜  ０．００５５０    （５）
０．００００５  ＜  ｜Δｒ２×２／ＥＡｒ２｜  ＜  ０．００５５０      （６）
【００２２】
但し、該Ｒ１の有効径をＥＡｒ１、該Ｒ２の有効径をＥＡｒ２、該Ｒ１の有効径位置での光軸方向の近軸曲率半径からの形状ずれ量をΔｒ１、該Ｒ２の有効径位置での光軸方向の近軸曲率半径からの形状ずれ量をΔｒ２、と定義する。
【００２３】
条件式（２）は、前記ＥＡｒ１に対する前記Ｄｃの比を規定している。上限を超えると、テレコンバーターレンズの全長が長くなり過ぎて好ましくない。また、下限を超えると、特に球面収差と像面湾曲の補正が困難となり好ましくない。
【００２４】
条件式（３）は、前記ｒ２に対する前記ｒ１の比を規定している。上限を超えると、特に球面収差と像面湾曲の補正が困難となり好ましくない。また、下限を超えると、マスターレンズの焦点距離に対する拡大率を増大することができなくなるため好ましくない。
【００２５】
条件式（４）は、前記ｒ２に対する前記Ｄｃの比を規定している。上限を超えると、特に球面収差と像面湾曲の補正が困難となり好ましくない。また、下限を超えると、マスターレンズの焦点距離に対する拡大率を増大することができなくなるため好ましくない。
【００２６】
条件式（５）は、前記ＥＡｒ１に対する前記Δｒ１の比を規定している。上限を超えると、非球面量が大きくなり過ぎることで特に球面収差の補正が過剰となり、また、高精度な加工も困難となるため好ましくない。また、下限を超えると、非球面量が小さくなり過ぎることで特に球面収差の補正が不足するため好ましくない。
【００２７】
条件式（６）は、前記ＥＡｒ２に対する前記Δｒ２の比を規定している。上限を超えると、非球面量が大きくなり過ぎることで特に像面湾曲の補正が過剰となり、また、高精度な加工も困難となるため好ましくない。また、下限を超えると、非球面量が小さくなり過ぎることで特に像面湾曲の補正が不足するため好ましくない。
【００２８】
なお、各数値実施例において構成上さらに好ましくは、条件式（２）〜（６）の数値範囲を次の如く設定するのが良い。
０．８５  ＜  ｜Ｄｃ×２／ＥＡｒ１｜  ＜  ３．９５             （２ａ）
１．７０  ＜  ｜ｒ１／ｒ２｜  ＜  １２．５０                   （３ａ）
０．３７  ＜  ｜Ｄｃ／ｒ２｜  ＜  ５．３０                     （４ａ）
０．００００７  ＜  ｜Δｒ１×２／ＥＡｒ１｜  ＜  ０．００５３０      （５ａ）
０．００００７  ＜  ｜Δｒ２×２／ＥＡｒ２｜  ＜  ０．００５３０      （６ａ）
【００２９】
より更に好ましくは、条件式（２）〜（６）の数値範囲を次の如く設定するのが良い。
０．９０  ＜  ｜Ｄｃ×２／ＥＡｒ１｜  ＜  ３．９０             （２ｂ）
１．８０  ＜  ｜ｒ１／ｒ２｜  ＜  １２．００                   （３ｂ）
０．３９  ＜  ｜Ｄｃ／ｒ２｜  ＜  ５．１０                     （４ｂ）
０．００００９  ＜  ｜Δｒ１×２／ＥＡｒ１｜  ＜  ０．００５１０      （５ｂ）
０．００００９  ＜  ｜Δｒ２×２／ＥＡｒ２｜  ＜  ０．００５１０      （６ｂ）
【００３０】
また、本実施形態のテレコンバーターレンズは、物体側より無限遠の物点から該テレコンバーターレンズに光束が入射した際、結像を介さずにマスターレンズに光束が導かれる構成である。
【００３１】
前述のように結像（中間像）を介した構成も考えられるが、結像を介した場合、結像光学系を複数構成する必要があるため、光学系の複雑化や大型化を招くため好ましくない。
【００３２】
また、本実施形態のテレコンバーターレンズは、該Ｒ１及び該Ｒ２の間の屈折レンズ要素を２枚以下で構成している。
【００３３】
該Ｒ１及び該Ｒ２の間に屈折レンズ要素を３枚以上構成すると、特に色収差の補正が困難となり、また、構成の複雑化を招くため好ましくない。
【００３４】
なお、本実施形態のテレコンバーターレンズは、各像点の結像に寄与する光束の断面は、輪帯状、あるいは輪帯の一部が欠けた馬蹄形状となっている。
【００３５】
また、前記Ｒ１は前記Ｒ２で反射した光束をマスターレンズに導くため、光軸近傍に円状の開口を空けている。この開口部分に関しては、ガラスなどの材料で構成してもかまわない。
【００３６】
また、前記Ｒ１と前記Ｒ２の間隔については、ガラスなどの材料で満たしてもかまわない。
【００３７】
（数値実施例）
以下、本実施形態のテレコンバーターレンズの数値実施例１〜４について説明する。数値実施例１〜４のテレコンバーターレンズは、いずれもデジタルカメラ、ビデオカメラ等の撮影レンズの物体側に装着して、撮影レンズの焦点距離を拡大するためのものである。数値実施例１〜４のテレコンバーターレンズは、いずれも全体として略アフォーカル系を構成している。
【００３８】
図１において、Ｔは数値実施例１のテレコンバーターレンズ部、Ｍはマスターレンズ部を示している。マスターレンズ部はズーム比４７．０６、開口比３．５０〜７．０７程度のズームレンズであり、図１において、テレコンバーターレンズを装着したときの望遠端でのレンズ断面図を示している。
【００３９】
また、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。広角端から望遠端へのズーミングに際しては、各レンズ群が移動する。
【００４０】
また、ＳＰは開放Ｆナンバー（Ｆｎｏ）光束を決定（制限）する開口絞りの作用をするＦナンバー決定部材（「開口絞り」ともいう）である。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。
【００４１】
数値実施例１〜３のテレコンバーターレンズは、物体側より光束が入射する順に、凹面反射面Ｒ１、凸面反射面Ｒ２より構成されている。Ｒ１およびＲ２はいずれも非球面形状である。図２は数値実施例１のテレコンバーターレンズをマスターレンズの望遠端に装着した際の全系での縦収差図である。また、図３は数値実施例２のテレコンバーターレンズのレンズ断面図、図４は数値実施例２のテレコンバーターレンズをマスターレンズの望遠端に装着した際の全系での縦収差図である。また、図５は数値実施例３のテレコンバーターレンズのレンズ断面図、図６は数値実施例３のテレコンバーターレンズをマスターレンズの望遠端に装着した際の全系での縦収差図である。
【００４２】
数値実施例４のテレコンバーターレンズは、物体側より光束が入射する順に、屈折レンズＧ１、屈折レンズＧ２、屈折レンズＧ２の像側面に形成された凹面反射面Ｒ１、屈折レンズＧ３、屈折レンズＧ３の物体側面に形成された凸面反射面Ｒ２、より構成されている。Ｒ１およびＲ２は、いずれも非球面形状である。図７は数値実施例４のテレコンバーターレンズのレンズ断面図、図８は数値実施例４のテレコンバーターレンズをマスターレンズの望遠端に装着した際の全系での縦収差図である。
【００４３】
なお、数値実施例１〜４のテレコンバーターレンズの装着元となるマスターレンズはいずれも共通である。
【００４４】
また、縦収差図において、球面収差の実線はｄ線、二点鎖線はｇ線を、非点収差の破線はメリディオナル像面、実線はサジタル像面を、倍率色収差はｇ線によって表している。
【００４５】
各数値実施例において、ｉは物体側からの面の順序を示す。数値実施例において、ｒｉは物体側より順に第ｉ番目のレンズ面の曲率半径である。ｄｉは、物体側より順に第ｉ番目のレンズ厚及び空気間隔である。ｎｄｉとνｄｉは、各々物体側より順に第ｉ番目の材料のガラスのｄ線に対する屈折率、アッベ数である。
【００４６】
非球面形状は、光軸方向にＸ軸、光軸と垂直方向にＨ軸、物体側から像側へ向かう方向を正としｒを近軸曲率半径、Ｋを円錐定数、Ａ４，Ａ６，Ａ８，Ａ１０，Ａ１２を各々非球面係数としたとき、
【００４７】
【数１】
2019095618.tif 000003
なる式で表している。また、［ｅ＋Ｘ］は［×１０＋ｘ］を意味し、［ｅ−Ｘ］は［×１０−ｘ］を意味している。
【００４８】
ＢＦはレンズ最終面から近軸像面までの距離（バックフォーカス）を空気換算したものである。
【００４９】
レンズ全長は、レンズ最前面からレンズ最終面までの距離にＢＦを加えたものである。
非球面は、面番号の後に＊を付加して示す。
【００５０】
（数値実施例１）
単位 mm
面データ
面番号       r        d      nd         vd       有効径
1*      -120.000  -30.00                         58.90
2*       -60.000   35.00                         29.50
非球面データ
第1面
K =-1.03007e+000  A 4=-8.27428e-010  A 6= 1.79186e-014  
第2面
K =-1.22221e+000  A 4=-1.08788e-007  A 6= 8.89510e-012  
各種データ
アフォーカル倍率    2.00
【００５１】
（数値実施例２）
単位 mm
面データ
面番号       r        d      nd         vd       有効径
1*      -452.951  -203.83                        130.00
2*       -45.295  208.83                         13.00
非球面データ
第1面
K =-1.07968e+000  A 4=-7.56962e-011  A 6=-3.18900e-016  A 8=-1.41234e-021  
第2面
K =-5.29264e-001  A 4= 9.30538e-007  A 6= 2.38738e-016  A 8= 3.73874e-015  
各種データ
アフォーカル倍率    10.00
【００５２】
（数値実施例３）
単位 mm
面データ
面番号       r        d      nd         vd       有効径
1*      -200.000  -75.00                        117.70
2*       -50.000   80.00                         29.50
非球面データ
第1面
K =-1.02702e+000  A 4=-2.25281e-010  A 6=-1.22765e-014  
第2面
K =-1.14533e+000  A 4=-9.66553e-008  A 6=-4.28812e-011  
各種データ
アフォーカル倍率    4.00
【００５３】
（数値実施例４）
単位 mm
面データ
面番号       r        d      nd         vd       有効径
1        411.453    4.12   1.43875    94.9       58.90
2       -428.831   45.00                         58.80
3       -106.681    7.00   1.48749    70.2       53.50
4*      -159.652   -7.00   1.48749    70.2       54.20
5       -106.681  -26.00                         53.50
6        -68.543   -7.00   1.51633    64.1       32.40
7*       -76.824    7.00   1.51633    64.1       28.50
8        -68.543   38.00                         32.40
非球面データ
第4面
K =-3.54218e-001  A 4=-1.77677e-008  A 6=-6.77613e-013  
第7面
K =-4.23439e-001  A 4=-1.66599e-007  A 6=-6.24555e-012  
各種データ
アフォーカル倍率    2.00
【００５４】
（[マスターレンズ])
単位 mm
面データ
面番号       r        d      nd         vd
1         91.809    1.80   1.91082    35.3           
2         49.682    5.14   1.49700    81.5           
3       -172.691    0.18                             
4         40.799    3.19   1.49700    81.5           
5        125.399  (可変)                             
6        264.824    0.95   1.88300    40.8           
7          8.654    4.75                             
8        -34.290    0.70   1.77250    49.6           
9         29.514    0.20                             
10         17.261    2.03   1.95906    17.5           
11         68.338  (可変)                             
12(絞り)    ∞     (可変)                             
13*        10.682    2.55   1.55332    71.7           
14*     -1301.722    1.88                             
15         25.419    0.60   1.77250    49.6           
16         11.168    0.32                             
17         15.838    0.60   2.00330    28.3           
18         11.699    2.19   1.49700    81.5           
19        -26.225  (可変)                             
20         27.270    0.70   1.91082    35.3           
21         16.857  (可変)                             
22         22.140    2.70   1.77250    49.6           
23        -20.954    0.60   1.91082    35.3           
24       -323.774  (可変)                             
25          ∞       0.50   1.51633    64.1           
26          ∞     (可変)                             
像面        ∞   
非球面データ
第13面
K =-1.00530e+000  A 4= 1.06429e-005  A 6= 3.26152e-007  A 8= 9.58317e-009  A10= 2.62605e-010  
第14面
K =-5.46043e+005  A 4=-1.36233e-005  A 6= 1.09625e-006  
各種データ
ズーム比     47.06 
広角端   望遠端
焦点距離       4.42    208.00      
Fナンバー      3.50      7.07    
画角          37.01      1.07    
像高           3.33      3.88     
レンズ全長    97.10    138.81     
BF            11.63     11.10     
d 5            0.78    60.14      
d11           35.95     1.31      
d12            9.99     0.09       
d19            2.98     8.58     
d21            4.69    26.52    
d24           10.80    10.27      
d26            0.50     0.50       
ズームレンズ群データ
群  始面    焦点距離  
1    1      78.55  
2    6      -9.25  
3   13      19.11  
4   20     -50.07  
5   22      31.97  
6   25       ∞    
前述の各条件式と数値実施例における諸数値の関係を、表１に示す
【００５５】
【表１】
2019095618.tif 000004
【００５６】
次に本実施形態のテレコンバーターレンズをマスターレンズであるズームレンズに装着し、撮影光学系として用いたデジタルカメラ（撮像装置）の実施形態について図９を用いて説明する。
【００５７】
図９において、２０はデジタルカメラ本体、２１は上述の実施形態のズームレンズによって構成された撮影光学系、２２は撮影光学系２１によって被写体像を受光するＣＣＤ等の撮像素子、２３は撮像素子２２が受光した被写体像を記録する記録手段である。また、２４は不図示の表示素子に表示された被写体像を観察するためのファインダーである。上記表示素子は液晶パネル等によって構成され、撮像素子２２上に形成された被写体像が表示される。
【００５８】
このように上述した実施形態のテレコンバーターレンズを備えた撮像光学系をデジタルカメラ等の撮像装置に適用することにより、小型で高い光学性能を有する撮像装置を実現することができる。
【符号の説明】
【００５９】
Ｔ…テレコンバーターレンズ部
Ｍ…マスターレンズ部
Ｒ1…凹面反射面
Ｒ2…凸面反射面
Ｌ１…第１レンズ群
Ｌ２…第２レンズ群
Ｌ３…第３レンズ群
Ｌ４…第４レンズ群
Ｌ５…第５レンズ群
Ｇ１…第１屈折レンズ
Ｇ２…第２屈折レンズ
Ｇ３…第３屈折レンズ
ＳＰ…絞り
ＩＰ…結像面
Ｇ…ＣＣＤのフォースプレートやローパスフィルター等のガラスブロック
【図１】
2019095618.tif 000005
【図２】
2019095618.tif 000006
【図３】
2019095618.tif 000007
【図４】
2019095618.tif 000008
【図５】
2019095618.tif 000009
【図６】
2019095618.tif 000010
【図７】
2019095618.tif 000011
【図８】
2019095618.tif 000012
【図９】
2019095618.tif 000013